(57)【要約】【課題】シートを所望の位置でカットすること。【解決手段】ベース１と、ベース１に対し、鋭角に設けられる平板状の基部２と、基部２に取り付けられ、刃が取り付けられる刃支持部３と、一部がベース１に離間可能に取り付けられ、一部がベース１から離間することで基部２のベース１に対する角度を線形に調整可能な可動部４と、を有する。【選択図】図１
2020006107.tif 000002
【特許請求の範囲】
【請求項１】
ベースと、
前記ベースに対し、鋭角に設けられる平板状の基部と、
前記基部に取り付けられ、刃が取り付けられる刃支持部と、
一部が前記ベースに離間可能に取り付けられ、一部が前記ベースから離間することで前記基部の前記ベースに対する角度を線型に調整可能な可動部と、
を有することを特徴とするシートカッター。
【請求項２】
前記可動部が前記ベースの面から離間する距離を線型に調整することで前記基部の前記ベースに対する角度を線型に調整する請求項１に記載のシートカッター。
【請求項３】
前記可動部は、ボスを有し、
前記ベースは、ボスの端部を支持する支持部を有し、
前記可動部は、前記支持部に支持された前記ボスの支持位置を調整して、前記基部の前記ベースに対する角度を調整する調整部を有する請求項１または２に記載のシートカッター。
【請求項４】
前記ボスは、側部に雄ねじを有し、
前記調整部は、前記雄ねじと螺合する雌ねじを中央部に備えるギアを有する請求項３に記載のシートカッター。
【発明の詳細な説明】
【技術分野】
【０００１】
本発明はシートカッターに関する。
【背景技術】
【０００２】
床敷物等のシートをカットするシートカッターが知られている。例えば、第１の刃と、第２の刃と、第１の刃と第２の刃を収納する本体と、本体と接続され、刃を突出する隙間と設けたガイドを有し、第１の刃または第２の刃が隙間より突出するカッターが知られている。
【先行技術文献】
【特許文献】
【０００３】
【特許文献１】特開２０１６−３９８９４号公報
【発明の概要】
【発明が解決しようとする課題】
【０００４】
シートの厚さに応じて刃の角度を調整することが好ましい。
【０００５】
しかしながら、引用文献１に記載したカッターは、段階的にしか角度を調整することができず、細かい角度の調整が困難である。このため、シートを所望の位置でカットすることが難しいでという問題がある。
１つの側面では、本発明は、シートを所望の位置でカットすることを目的とする。
【課題を解決するための手段】
【０００６】
上記目的を達成するために、開示のシートカッターが提供される。このシートカッターは、ベースと、ベースに対し、鋭角に設けられる平板状の基部と、基部に取り付けられ、刃が取り付けられる刃支持部と、一部がベースに離間可能に取り付けられ、一部がベースから離間することで基部の前記ベースに対する角度を線形に調整可能な可動部と、を有している。
【発明の効果】
【０００７】
１態様では、シートを所望の位置でカットすることができる。
本発明の上記および他の目的、特徴および利点は本発明の例として好ましい実施の形態を表す添付の図面と関連した以下の説明により明らかになるであろう。
【図面の簡単な説明】
【０００８】
【図１】実施の形態のシートカッターを示す斜視図である。
【図２】実施の形態のシートカッターを示す六面図である。
【図３】実施の形態のシートカッターを示す展開図である。
【図４】基部および刃支持部の一部を示す図である。
【図５】基部に刃支持部を取り付けたときの収容部と被係合部の関係を示す図である。
【図６】可動部の一部を説明する図である。
【図７】可動部の可動機構を説明する図である。
【図８】ボスの可動方向を説明する図である。
【図９】シートカッターの使用方法の一例を説明する図である。
【発明を実施するための形態】
【０００９】
以下、実施の形態のシートカッターを、図面を参照して詳細に説明する。
＜実施の形態＞
【００１０】
図１は、実施の形態のシートカッターを示す斜視図であり、図２は、実施の形態のシートカッターを示す六面図であり、図３は、実施の形態のシートカッターの展開図である。図３においては、鉛直方向にＺ軸を規定する。そして、シートをカットする方向をＹ軸と規定し、Ｙ軸およびＺ軸に垂直な方向をＸ軸と規定する。
【００１１】
実施の形態のシートカッター１００は、例えば、床敷物等のシートをカットする際に用いることができる。床敷物としては特に限定されないが、例えばクッションフロア等が挙げられる。
シートカッター１００は、ベース１と、基部２と、刃支持部３と、可動部４とを有している。
ベース１は、カット時にシート上に位置する下部１１と、カット時に少なくとも一部がシートを介して壁等の端部に当接する当接部１２を有している。
【００１２】
本実施の形態では下部１１と当接部１２は一体的に形成されており、下部１１と当接部１２との間には、カット時にカッターの刃５ａ、５ｂのいずれかが突出する切り込み１３ａ、１３ｂが設けられている。
図２に示すように、当接部１２の内側には、両端部に雌ねじを有する筒部１４が設けられている。
【００１３】
基部２は、平板状をなしており、ベース１に対し、側面視で鋭角に設けられている。基部２は、下端部に孔部２１ａ、２１ｂを有している。雄ねじ６ａ、６ｂが孔部２１ａ、２１ｂを介して筒部１４の雌ねじに螺合することにより、基部２が筒部１４を軸として（Ｘ軸を中心に）ＹＺ平面方向に回動可能に取り付けられる。
【００１４】
また、基部２は、上端部に平板部に対し垂直に設けられ、中空の凸部２２ａ、２２ｂと、基部２の中央部やや下側に平板部に対し垂直に設けられ、中空の凸部２２ｃとを有している。
また、基部２は、可動部４の後述する把持部４１に固定されている。可動部４が可動することにより、その可動分、基部２がベース１に対し、回動する。
刃支持部３は、幅がカッターの刃５ａ、５ｂの幅に対応して設けられ、刃５ａ、５ｂのぐらつきを規制する支持部３１ａ、３１ｂを有している。
【００１５】
また、刃支持部３は、支持部３１ａ、３１ｂに位置する刃５ａ、５ｂを押さえる押え板３２ａ、３２ｂと、押え板３２ａ、３２ｂを固定する雄ねじ３３ａ、３３ｂを有している。
【００１６】
なお、図１では刃５ａ、５ｂ、押え板３２ａ、３２ｂ、および雄ねじ３３ａ、３３ｂの図示を省略している。また、図２の正面図にはカッターの刃５ａ、５ｂの図示を省略している。
【００１７】
刃支持部３は、基部２対し回動可能に取り付けられている。具体的には、この刃支持部３は、凸部２２ａ、２２ｂ、２２ｃがそれぞれ挿通される開口部３４ａ、３４ｂ、３４ｃを有している。
開口部３４ａ、３４ｂ、３４ｃは、刃支持部３の回動方向を規定するガイドとして機能する。
【００１８】
すなわち、図２の正面図において、凸部２２ｃが開口部３４ｃの左端部に当接し、凸部２２ａが開口部３４ａの左端部に当接するか、または凸部２２ｂが開口部３４ｂの左端部に当接するまで刃支持部３は、基部２に対し、時計回りに回動する。また、凸部２２ｃが開口部３４ｃの右端部に当接し、凸部２２ａが開口部３４ａの右端部に当接するか、または凸部２２ｂが開口部３４ｂの右端部に当接するまで刃支持部３は、基部２に対し反時計回りに回動する。
図４は、基部および刃支持部の一部を示す図である。
【００１９】
基部２の、凸部２２ｃの上部には図４に示すようにトーションばね７を収容する扇形の収容部２３が設けられている。なお、図４では基部２の収容部２３以外の図示を省略している。この収容部２３には、トーションばね７のコイル部分を支持する突起２３１が設けられている。
【００２０】
トーションばね７の端部には、係合部７ａ、７ｂが設けられている。トーションばね７のコイル部分が突起部２３１に収容され、端部が収容部２３の壁部２３２に取り付けられた状態で係合部７ａ、７ｂは、収容部２３から突出する。
【００２１】
開口部３４ａ、３４ｂ、３４ｃに凸部２２ａ、２２ｂ、２２ｃがそれぞれ挿通されたときに、刃支持部３の収容部２３に対向する位置には、収容部２３の平面形状と同じ平面形状を有する被係合部３５が設けられている。なお、図４では刃支持部３の被係合部３５以外の図示を省略している。
図５は、基部に刃支持部を取り付けたときの収容部と被係合部の関係を示す図である。
【００２２】
突出した係合部７ａ、７ｂは、刃支持部３に設けられた被係合部３５の壁部３５１に係合する。この状態では、凸部２２ａ、２２ｂ、２２ｃは、それぞれ開口部３４ａ、３４ｂ、３４ｃのほぼ中央に位置する（初期位置）
【００２３】
刃支持部３が基部２対し回動すると、トーションばね７が付勢された状態になる。刃支持部３を基部２に対し回動させる力が解除されると、トーションばね７の付勢力により、刃支持部３が元の位置に戻る。再び図２および図３に戻って説明する。
可動部４は、把持部４１と、ボス４２と、シャフト４３と、固定部４４、４５と、ギア４６とを有している。
【００２４】
把持部４１は、シートを切断する際に、ユーザが把持する部分である。把持部４１の面４１１は、基部２の面２４に取り付けられている。また、把持部４１の面４１２は、可動部の可動機構により一部がベース１の面１５に当接したり、離間したりする。可動部４がベース１の面１５から離間する距離を線型に調整することで基部２のベース１に対する角度を線型に調整可能になっている。
また、ベース１には、ボス４２および固定部４５に対応する凹部１６が設けられている。
図６は、可動部の一部を説明する図である。
【００２５】
ボス４２は、一方の端部が丸みを帯びている。また、ボス４２には、ネジ部が形成されており、ギア４６のネジ部と螺合することによりボールネジ機構を形成している。また、ボス４２は、長手方向の長さＡのシャフト４３が挿通する孔部４２１を有している。固定板４４は、平面視で一辺の長さＡの矩形（正方形）をなしており、ボス４２が通過する開口部４４１を有している。この開口部４４１の径は、ボス４２の径よりも一回り大きく形成されている。また、固定板４４は、シャフト４４を支持する支持部４４２を有している。再び図３に戻って説明する。
【００２６】
ボス４２は、孔部４２１にシャフト４３が挿入され、丸みを帯びた部位が凹部１６内に設けられ、この部位に対応する形状を有する載置部１６１に載置される。この状態で固定板４４が凹部１６にネジ留めされると、シャフト４３の端部が支持部４４２に当接する。
【００２７】
固定板４５は、ギア４６を把持部４１に固定する。この固定板４５には、ボス４２が通過する開口部４５１を有している。なお、把持部４１には、固定板４５の形状に対応する凹部が設けられており、ギア４６を間に挟んだ固定板４５を、図示しないネジにより把持部４１に固定したときに、側面視で固定板４５が把持部４１の下面からはみ出さないようになっている。
図７は、可動部の可動機構を説明する図である。
前述したように、ボス４２には、ネジ部が形成されており、ギア４６のネジ部と螺合することによりボールネジ機構を形成している。
【００２８】
ユーザがギア４６を把持していずれか一方向に回転させることにより、把持部４１がベース１から離間し、筒部１４を軸として（Ｘ軸を中心に）ＹＺ平面に平行な方向に滑らかにリニアに回動する。また、ユーザがギア４６を把持して他方向に回転させることにより、把持部４１の面４１２がベース１の面１５に接触する。
図８は、ボスの可動方向を説明する図である。
ボス４２は、ＹＺ平面に平行な方向に所定の角度（本実施の形態では最大プラスマイナス２０°）傾斜可能な状態でベース１に固定されている。
【００２９】
なお、図２に示すように、面４１２がベース１の面１５に当接しているときの基部２の面１５に対する角度θは一例として５０°であり、面４１２がベース１の面１５から最も離間しているときの基部２の面１５に対する角度θは一例として７０°である。
次に、シートカッター１００の使用方法を説明する。
図９は、シートカッターの使用方法の一例を説明する図である。
【００３０】
ユーザは、雄ねじ３３ａ、３３ｂを緩めて刃５ａ、５ｂを出す量（位置）を調整した後に雄ねじ３３ａ、３３ｂを締める。刃５ａ、５ｂを出す量は、刃５ａ、５ｂを刃支持部３を基部２に対して傾け（回動させ）たときに刃５ａ、刃５ｂが切り込み１３ａまたは切り込み１３ｂから突出し、刃５ａ、５ｂを刃支持部３を基部２に対して傾けないときに刃５ａ、刃５ｂが切り込み１３ａまたは切り込み１３ｂから突出しない位置にするのが好ましい。これにより、シートカッター１００を使用しないとき等に刃５ａ、５ｂによる怪我や事故等を抑制できる。
そして、壁部５２に一部が配置されるように、シート８を床５１に載置する。そして、ベース１の部位１１と当接部１２でシート８を押さえる。
【００３１】
この状態で例えば、シートカッター１００によりカットされたシート８が壁５２の端部５２１に接するようにシート８をカットしたいときは、ユーザはギア４６を少し回転させる。これにより、把持部４１がベース１から少し離間し、筒部１４を軸として（Ｘ軸を中心に）ＹＺ平面方向に回動し、角度θが少し大きくなる。
【００３２】
また、シートカッター１００によりカットされたシート８が壁５２の端部５２１から少し隙間を空けて配置されるようにシート８をカットしたいときは、ユーザはさらにギア４６を回転させる。これにより、把持部４１がベース１からより離間し、筒部１４を軸として（Ｘ軸を中心に）ＹＺ平面方向に回動し、角度θがさらに大きくなる。
【００３３】
その後、ユーザは手のひらに把持部４１をあてて把持して刃支持部３に設けられた凹み等に手の指を掛けることで刃支持部３を基部２に対して傾け（回動させ）、刃５ａまたは刃５ｂを切り込み１３ａまたは切り込み１３ｂから突出させる。そして、シートカッター１００を壁部５２の長手方向に沿って移動させることでシート８がカットされていく。例えば、図５の紙面手前側から紙面奥側にシート８をカットしていく場合は、紙面手前側の刃５ａを用いてシート８をカットしていく。そして、紙面奥側に設けられた壁の端面にシートカッター１００が当接すると、刃支持部３を基部２に対して逆側に傾け（回動させ）刃５ｂを用いて刃５ａでカットできない部分をカットする。
【００３４】
以上述べたように、シートカッター１００によれば、ベース１と、ベース１に対し、鋭角に設けられる平板状の基部２と、基部２に取り付けられ、刃が取り付けられる刃支持部３と、一部がベース１に離間可能に取り付けられ、一部がベース１から離間することで基部２のベース１に対する角度を線形に調整可能な可動部４と、を有する。
【００３５】
具体的には、可動部４は、ボス４２を有し、ベース１は、ボス４２の端部を支持する凹部１６を有し、可動部４は、凹部１６に支持されたボス４２の支持位置を調整して、基部２のベース１に対する角度をリニアに調整する。
【００３６】
より具体的には、ボス４２は、側部に雄ねじを有し、雄ねじと螺合する雌ねじを中央部に備えるギア４６を有する。これにより、シートをカットし易くすることができる。
【００３７】
以上、本発明のシートカッターを、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【００３８】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００３９】
１００  シートカッター
１  ベース
１１  下部
１２  当接部
１３ａ、１３ｂ  切り込み
１４  筒部
１５  面
１６  凹部
１６１  載置部
２  基部
２１ａ、２１ｂ  孔部
２２ａ、２２ｂ、２２ｃ凸部
２３  収容部
２３１  突起
２３２  壁部
２４  面
３  刃支持部
３１ａ、３１ｂ  支持部
３２ａ、３２ｂ  押え板
３３ａ、３３ｂ  雄ねじ
３４ａ、３４ｂ、３４ｃ  開口部
３５  被係合部
３５１  壁部
４  可動部
４１  把持部
４１１、４１２  面
４２  ボス
４２１  孔部
４３  シャフト
４４、４５  固定板
４４１、４５１  開口部
４４２  支持部
４６  ギア
５ａ、５ｂ  刃
６ａ、６ｂ  雄ねじ
７  トーションばね
５１  床
５２  壁部
６０  シート
【図１】
2020006107.tif 000003
【図２】
2020006107.tif 000004
【図３】
2020006107.tif 000005
【図４】
2020006107.tif 000006
【図５】
2020006107.tif 000007
【図６】
2020006107.tif 000008
【図７】
2020006107.tif 000009
【図８】
2020006107.tif 000010
【図９】
2020006107.tif 000011